(57)【要約】【課題】コードレス電話装置において、緊急度や優先度の高い不在着信や留守番電話による録音メッセージについて、その存在をユーザに通知することができるようにする。【解決手段】コードレス電話装置は、発信元電話番号と対応付けて不在着信履歴および／または留守番電話機能によるメッセージの記録の有無を着信記録として記録するメモリ部２６と、着信記録における同一発信元電話番号からの着信回数を計数するカウント手段を有する計数部３５と、予め設定された送信先に着信記録通知を送信する通知手段３６と、を備え、計数部３５において、同一発信元電話番号からの不在着信および／またはメッセージの記録の着信回数をカウントし、カウント値が所定値に達した場合、通知部３６は、着信記録通知を生成し、予め設定された送信先に着信記録通知を送信する。【選択図】図２
2011024087.tif 000002
【特許請求の範囲】
【請求項１】
電話回線に接続される親機と、前記親機と無線接続される子機と、を有するコードレス電話装置であって、
前記親機は、留守番電話機能および／または不在着信記録機能を有し、発信元電話番号と対応付けて不在着信履歴および／または留守番電話機能によるメッセージの記録の有無を着信記録として記録するメモリ部と、前記着信記録における同一発信元電話番号からの着信回数を計数するカウント手段を有する計数部と、予め設定された送信先に着信記録通知を送信する通知手段と、を備え、
前記計数部において、前記同一発信元電話番号からの不在着信および／またはメッセージの記録の着信回数をカウントし、カウント値が所定値に達した場合、前記通知部は、前記不在着信および／またはメッセージの記録の存在を通知する着信記録通知を生成し、前記予め設定された送信先に前記着信記録通知を送信することを特徴とするコードレス電話装置。
【請求項２】
前記計数部は、更に、予め定めた所定の時間をカウントするタイマを有し、前記タイマが所定の時間を計数するまでの間に、前記カウント手段がカウントしたカウント値が所定値に達した場合、前記通知部は、前記不在着信および／またはメッセージの記録の存在を通知する着信記録通知を生成し、前記予め設定された送信先に前記着信記録通知を送信することを特徴とする請求項１に記載のコードレス電話装置。
【請求項３】
前記カウント手段が着信をカウントする発信元電話番号は、予め設定された１つまたは複数の電話番号であることを特徴とする請求項１または請求項２に記載のコードレス電話装置。
【請求項４】
前記計数部は、更に、前記カウント手段がカウントする発信元電話番号を記憶する１つまたは複数のバッファ領域を持つバッファ記憶手段を有し、前記カウント手段は前記バッファ記憶手段に記憶された発信元電話番号からの着信回数をカウントすることを特徴とする請求項１ないし請求項３の何れか１項に記載のコードレス電話装置。
【発明の詳細な説明】
【技術分野】
【０００１】
本発明は、着信時に親機または子機が応答できない時に通話内容を録音して保存する留守番録音機能、あるいは、不在着信履歴を記憶する機能を有するコードレス電話機あるいはコードレス電話機能を備えたファクシミリ装置等のコードレス電話装置に関するものであり、特に、同一相手先電話番号からの不在着信や留守番電話機能によるメッセージの録音があった回数を監視し、その回数が連続して所定回数になった時、あるいは、所定の時間内に所定の回数になった時に、予め設定したユーザの連絡先メールアドレスに、不在着信や録音メッセージの存在を通知する着信記録通知を送信するようにしたコードレス電話装置に関するものである。
【背景技術】
【０００２】
従来からオフィスや家庭において、公衆回線網に接続される加入電話のような固定電話装置の他、無線通信機能により結ばれる親機と子機からなるコードレス電話装置が広く使用されている。近年では親機にファクシミリ機能を備えたコードレス電話装置機も普及している。
【０００３】
最近ではアナログのコードレス電話機に代わるものとしてデジタルコードレス電話機、デジタルコードレス電話システムが提供されている。デジタルコードレス電話システムは、一般には、パーソナルハンディフォン（ＰＨＳ）と言われるものであり、このようなデジタルコードレス電話機は、家庭や事務所に設置している親機や、屋外に設置されている公衆基地局と通信する自営モード・公衆モードがあるが、これ以外に子機同士でトランシーバのように直接通信する子機間通信モードがある。更に、親機が通話機能を持たず留守番電話機能のみを有し、専ら子機を用いて通話を行うコードレス電話装置も提供されている。
【０００４】
一般的に通常の固定電話装置において、利用者が不在で着信に応答できない場合のために、発信元の通話音声を録音、保存しておき、後で利用者が録音された通話内容を再生して用件を確認できるようにした留守番録音機能（留守録機能）が提供されている。前述のような各種のコードレス電話装置においても、着信があった場合に親機または子機が応答できない時に通話内容を録音して保存する留守番録音機能が提供されているのが一般的である。
【０００５】
このような留守録音機能を備えたコードレス電話装置は、例えば、下記の特許文献１（特開平８−３３１２６１号公報）に開示されている。この特許文献１に開示されたコードレス電話装置は、留守番録音機能を有効にする設定がされた状態で、特定の子機に着信があった場合、親機は該当する子機に発信を行い、子機から応答がなかった時に親機から留守メッセージを発信元に送信し、発信元の通話（メッセージ）を録音して保存するように構成したものである。
【０００６】
ところで、留守番電話機能がＯＮに設定された電話に発信した場合に、メッセージを残さずに終話（回線接続を切断）してしまうユーザも多い。特に、日本人は留守番電話にメッセージを残すことを嫌う傾向がみられる。また、留守番電話機能がＯＮに設定されていない場合には、当然にメッセージを録音する機能は働かない。
【０００７】
更に、ユーザが不在の際にコードレス電話装置に着信があった場合に、発信した相手先の電話番号や着信時刻などを不在着信情報として記憶しておき、後刻、ユーザが不在着信情報を参照できる機能も提供されている。当然に不在着信電話の用件には、緊急の用件も、そうでない用件も含まれる。用件の重要度や緊急度の別は、留守番電話機能を用いて録音されたメッセージにおいても同様に存在する。
【０００８】
留守番電話機能を用いて録音されたメッセージや不在着信があった場合に、ユーザが帰宅しなくても、そのような着信があったことを知ることができると便利である。例えば、下記の特許文献２（特開平８−０３７５５３号公報）には、留守番電話に録音された用件メッセージを転送できるようにして、留守番電話に電話をかけることなしにメッセージを聞くことが出来るようにした留守番電話機が開示されている。
【０００９】
この特許文献２に開示された留守番電話装置は、ベル着信に応じて自動応答し、発呼者からの用件メッセージを録音すると、予め登録された電話番号へ瞬時に自動ダイヤルして所定の音声伝送が可能なポケットベルを呼び出し、発呼者が入力し、記憶された用件メッセージを再生し送出することができるように構成されたものである。
【００１０】
また、下記の特許文献３（特開２００３−２１９４６９）には、不在着信時の通知先となるメールアドレスを宛先とするメール文書を作成して不在着信をメール通知するようにした携帯型通信端末が開示されている。
【００１１】
この特許文献３に開示された通信端末は、音声通信処理部は音声着信通知があると、発信者電話番号と着信した日時を着信履歴データベースに保存し、その後、着信に応答しなかった場合は、通知メール文書作成処理部により宛先情報記憶部からメールの宛先情報を読み込ませ、着信履歴データベースに保存した発信者電話番号及び着信日時、を含むメール内容で、事前に宛先情報記憶部に登録されている不在着信時の通知先となるメールアドレスを宛先とするメール文書を作成して送信するように構成されたものである。
【先行技術文献】
【特許文献】
【００１２】
【特許文献１】特開平８−３３１２６１号公報（図１、図２）
【特許文献２】特開平８−０３７５５３号公報（図１、図３）
【特許文献３】特開２００３−２１９４６９号公報（図２、図３）
【発明の概要】
【発明が解決しようとする課題】
【００１３】
先に述べたように不在着信や留守番電話のメッセージの中には、緊急の用件や優先度の高い用件とそうでない用件とがある。緊急の用件や優先度の高い用件以外にそうでない要件も多数ある場合に、上記特許文献２や特許文献３に開示されたような技術を適用してユーザに留守電の着信や不在着信を通知するように構成すると、不在着信や留守番電話のメッセージがある都度、通知が行われることになる。従って、緊急の用件や優先度の高い用件以外にそうでない要件も全てユーザに通知され、ユーザはその内容を確認して緊急度や優先度の高いものか否かを判断する手間と時間を費やさなければならないという問題点が生じる。また、通知手段によってはそのための通信料金が発生するという問題点も生じる。
【００１４】
本願の発明者は上記の問題点を解消すべく種々検討を重ねた結果、着信時に親機または子機が応答できない時に通話内容を録音して保存する留守番録音機能、あるいは、不在着信履歴を記憶する機能を有するコードレス電話機あるいはコードレス電話機能を備えたファクシミリ装置等のコードレス電話装置において、同一相手先電話番号からの不在着信や留守番電話機能によるメッセージの録音があった回数を監視し、その回数が連続して所定回数になった時、あるいは、所定の時間内に所定の回数になった時に、予め設定したユーザの連絡先メールアドレスに、不在着信や録音メッセージの存在を通知する着信記録通知を送信するようになせば、上記の問題点を解消し得ることに想到して本発明を完成するに至ったものである。
【００１５】
すなわち、本発明は、上記の問題点を解消することを課題とし、着信時に親機または子機が応答できない時に通話内容を録音して保存する留守番録音機能、あるいは、不在着信履歴を記憶する機能を有するコードレス電話機あるいはコードレス電話機能を備えたファクシミリ装置等のコードレス電話装置において、緊急度や優先度の高い不在着信や留守番電話による録音メッセージについて、その存在をユーザに通知することができるコードレス電話装置を提供することを目的とするものである。
【課題を解決するための手段】
【００１６】
前記課題を解決するために、本願の請求項１にかかる発明は、電話回線に接続される親機と、前記親機と無線接続される子機と、を有するコードレス電話装置であって、前記親機は、留守番電話機能および／または不在着信記録機能を有し、発信元電話番号と対応付けて不在着信履歴および／または留守番電話機能によるメッセージの記録の有無を着信記録として記録するメモリ部と、前記着信記録における同一発信元電話番号からの着信回数を計数するカウント手段を有する計数部と、予め設定された送信先に着信記録通知を送信する通知手段と、を備え、前記計数部において、前記同一発信元電話番号からの不在着信および／またはメッセージの記録の着信回数をカウントし、カウント値が所定値に達した場合、前記通知部は、前記不在着信および／またはメッセージの記録の存在を通知する着信記録通知を生成し、前記予め設定された送信先に前記着信記録通知を送信することを特徴とする。
【００１７】
また、本願の請求項２にかかる発明は、請求項１にかかるコードレス電話装置において、前記計数部は、更に、予め定めた所定の時間をカウントするタイマを有し、前記タイマが所定の時間を計数するまでの間に、前記カウント手段がカウントしたカウント値が所定値に達した場合、前記通知部は、前記不在着信および／またはメッセージの記録の存在を通知する着信記録通知を生成し、前記予め設定された送信先に前記着信記録通知を送信することを特徴とする。
【００１８】
また、本願の請求項３にかかる発明は、請求項１または請求項２にかかるコードレス電話装置において、前記カウント手段が着信をカウントする発信元電話番号は、予め設定された１つまたは複数の電話番号であることを特徴とする。
【００１９】
また、本願の請求項４にかかる発明は、請求項１ないし請求項３の何れかにかかるコードレス電話装置において、前記計数部は、更に、前記カウント手段がカウントする発信元電話番号を記憶する１つまたは複数のバッファ領域を持つバッファ記憶手段を有し、前記カウント手段は前記バッファ記憶手段に記憶された発信元電話番号からの着信回数をカウントすることを特徴とする。
【発明の効果】
【００２０】
請求項１にかかる発明においては、コードレス電話装置の親機は、留守番電話機能および／または不在着信記録機能を有し、発信元電話番号と対応付けて不在着信履歴および／または留守番電話機能によるメッセージの記録の有無を着信記録として記録するメモリ部と、前記着信記録における同一発信元電話番号からの着信回数を計数するカウント手段を有する計数部と、予め設定された送信先に着信記録通知を送信する通知手段と、を備え、前記計数部において、前記同一発信元電話番号からの不在着信および／またはメッセージの記録の着信回数をカウントし、カウント値が所定値に達した場合、前記通知部は、前記不在着信および／またはメッセージの記録の存在を通知する着信記録通知を生成し、前記予め設定された送信先に前記着信記録通知を送信する。
【００２１】
かかる構成によれば、同一発信元電話番号からの着信回数をカウントし、所定回数に達した場合に、不在着信や留守番電話により録音されたメッセージの緊急度や優先度が高いものと判断して、不在着信や留守番電話のメーセッジ録音が存在する旨の着信記録通知をユーザに送信することができるようになる。
【００２２】
請求項２にかかる発明においては、請求項１にかかるコードレス電話装置において、計数部は、更に、予め定めた所定の時間をカウントするタイマを有し、前記タイマが所定の時間を計数するまでの間に、前記カウント手段がカウントしたカウント値が所定値に達した場合、前記通知部は、前記不在着信および／またはメッセージの記録の存在を通知する着信記録通知を生成し、前記予め設定された送信先に前記着信記録通知を送信する。
【００２３】
かかる構成によれば、同一発信元電話番号からの着信回数をカウントし、所定の時間内に、所定回数に達した場合に、不在着信や留守番電話により録音されたメッセージの緊急度や優先度が高いものと判断して、不在着信や留守番電話のメーセッジ録音が存在する旨の着信記録通知をユーザに送信することができるようになる。
【００２４】
請求項３にかかる発明においては、請求項１または請求項２にかかるコードレス電話装置において、前記カウント手段が着信をカウントする発信元電話番号は、予め設定された１つまたは複数の電話番号であることを特徴とする。
【００２５】
かかる構成によれば、ユーザが予め設定した１つまたは複数の発信元電話番号からの不在着信や留守番電話の着信について、その緊急度や優先度が高い着信を判別して着信記録通知を送信することができ、コードレス電話装置の処理負荷をいたずらに増加させることがなくなる。
【００２６】
請求項４にかかる発明においては、請求項１ないし請求３の何れかにかかるコードレス電話装置において、前記計数部は、更に、前記カウント手段がカウントする発信元電話番号を記憶する１つまたは複数のバッファ領域を持つバッファ記憶手段を有し、前記カウント手段は前記バッファ記憶手段に記憶された発信元電話番号からの着信回数をカウントする。
【００２７】
かかる構成によれば、ユーザが予め設定した１つまたは複数の発信元電話番号からの不在着信や留守番電話の着信について、その緊急度や優先度が高い着信を判別して着信記録通知を送信することができ、コードレス電話装置の処理負荷をいたずらに増加させることがなくなる。また、発信元電話番号を記憶するバッファ領域が１つである場合には、同一発信元電話番号からの不在着信や留守番電話の着信が、他の発信元電話番号からの不在着信や留守番電話の着信をはさまずに、連続して着信した回数によって用件の緊急度や優先度を判定でき、より正確に判定できるようになる。
【図面の簡単な説明】
【００２８】
【図１】本発明の実施例にかかるコードレス電話装置の外観を示す図である。
【図２】本発明の実施例にかかる親機の構成を示すブロック図、
【図３】本発明の実施例にかかる子機の構成を示すブロック図である。
【図４】親機における不在着信の着信記録通知の動作手順の一例を示すフローチャートである。
【図５】親機における不在着信の着信記録通知の動作手順の他の一例を示すフローチャートである。
【図６】親機における不在着信の着信記録通知の動作手順の更に他の一例を示すフローチャートである。
【発明を実施するための形態】
【００２９】
以下、本発明の具体例を実施例及び図面を用いて詳細に説明する。但し、以下に示す実施例は、本発明の技術思想を具体化するためのコードレス電話装置を例示するものであって、本発明をこのコードレス電話装置に特定することを意図するものではなく、特許請求の範囲に含まれるその他の実施形態のコードレス電話装置にも等しく適用し得るものである。
【実施例１】
【００３０】
図１は、本発明の実施例にかかるコードレス電話装置の外観を示す図である。以下の実施例においては、コードレス電話装置において、不在着信履歴を用いて緊急あるいは優先度が高い不在着信を判別して予め設定した通知先に電子メールで不在着信通知を行う構成について説明する。この構成により、留守番電話録音メッセージについても同様の通知を行うことができる。
【００３１】
コードレス電話装置は親機２０と子機１とが無線で接続された構成となっており、子機１から親機２０を介して通話の受信、発信が行えるようになっている。親機２０は、通話機能を持たず、留守番電話機能および不在着信履歴記憶機能を有し、ナンバーディスプレイサービスを利用して発信者電話番号を取得することができる。また、親機２０は通話機能を持たず、通話は専ら子機１を用いるものであるから、図１に示すように子機１の充電台を兼ねる構成であることが好ましい。
【００３２】
本実施例にかかるコードレス電話装置においては、不在着信があると、発信元の電話番号か取得できれば、取得した電話番号と、着信時刻や回線接続時間などを対応つけた不在着信履歴をメモリに蓄積し、予め設定された通知先、例えば、コードレス電話装置の所有者の携帯電話のメールアドレスに不在着信があった旨のメーセッジや発信元電話番号、着信時間などの着信記録通知を送信する。その際、緊急の用件である不在着信であることを判別するため、同一の発信元電話番号からの不在着信回数をカウントし、その回数が連続して所定回数になった場合、あるいは、所定の時間内に所定の回数になった場合に、緊急の用件である判断し、前記の着信記録通知を送信するように構成される。
【００３３】
同様に留守番電話機能によって、メモリにメッセージが記録される場合、発信元電話番号が取得できれば、取得した電話番号と、着信時刻とメッセージの記録ありを示す情報などが留守番電話の着信記録としてメモリに蓄積される。そして、不在着信の着信記録通知と同様に、予め設定された通知先に留守番電話のメッセージ録音が存在する旨のメーセッジや発信元電話番号、着信時間などの着信記録通知を送信する。その際、緊急の用件である留守番電話の着信であることを判別するため、同一の発信元電話番号からの留守番電話によるメッセージの録音があった回数をカウントし、その回数が連続して所定回数になった場合、あるいは、所定の時間内に所定の回数になった場合に、所定の時間内に所定回数の着信があった場合に、緊急の用件である判断し、前記の着信記録通知を送信するように構成される。
【００３４】
上記の着信記録通知機能は不在着信に対してのみ設けてもよく、留守番電話の着信にのみ設けてもよい。もちろん不在着信と留守番電話の着信の両方に対して設けてもよい。以下の実施例では、不在着信に対する着信記録通知を例に説明を進める。また、緊急の着信を判別するものであるから、上記の着信記録通知の手順を、全ての不在着信や留守番電話の着信に対して有効にせず、家族や取引先、友人など、コードレス電話装置のユーザが予め登録した発信元電話番号からの不在着信や留守番電話の着信に対して同一発信元電話番号からの着信回数をカウントするように構成することが好ましい。そのような構成にすることでコードレス電話装置の処理負荷を抑制することができ、また、容易に緊急の着信を判別することができるようになる。
【００３５】
図２は、図１に示す親機２０の概略構成を示すブロック図である。コードレス電話装置の親機２０は、制御部２１、着信検出部２２、回線接続部２３、充電部２４、操作部２５、メモリ部２６、ＡＣアダプタ２７、電源部２８、送信部３０、受信部３１、周波数シンセサイザー３２、アンテナ３３、スピーカ（ＳＰ）３４、計数部３５、通知部３６、通信Ｉ／Ｆ３７などを備えて構成される。
【００３６】
計数部３５は、不在着信があった場合に、該不在着信について取得した発信元電話番号に基づいて同一発信元からの着信回数をカウントするカウント手段と、予め設定された所定の時間をカウントするタイマ手段と、発信元電話番号を一時記憶するバッファ記憶手段と、を有する。また、通知部３６は着信記録通知のメールを作成して通信Ｉ／Ｆ３７を介して予め設定された送信先にインターネット経由で送信する。着信記録通知は、少なくとも、不在着信の発信元電話番号、着信時刻などを含むメッセージ内容とする。
【００３７】
制御部２１は、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って親機の各種制御を行う。
【００３８】
着信検出部２２は、外線から着信信号をパルス信号に波形整形して出力し、着信を検出する。回線接続部２３は、電話回線に接続されて回線の解放・閉結を行ったり、電話帳に記憶されている電話番号情報あるいは子機から転送された電話番号情報に基づいて発呼処理を行ったりして電話回線を介して外部の電話装置と接続する。
【００３９】
操作部２５は、留守番電話機能のオン、オフを設定するなど、親機２０を操作する最低限のボタン、スイッチを備えている。メモリ部２６は、ＲＡＭによって構成され、留守番電話機能におけるボイス鳴動のためのボイスデータを記憶している。電源部２８は、ＡＣアダプタ２７から所定電圧の直流を受けて、親機２０の各部に電源を供給する。充電部２４は子機１の充電部に接続する充電端子から構成される。
【００４０】
送信部３０と受信部３１は、アンテナ３３を介して子機との間に無線による通話リンクを確立させて、子機に対して信号の送受信を行い、周波数シンセサイザー３２は、信号発振を行い、制御部２１からの制御信号によって送信部３０と受信部３１の送受信周波数を切り換える。
【００４１】
スピーカ（ＳＰ）３４はボイス再生回路を構成する増幅回路で増幅された制御部２１内の音声信号処理部の電気信号を音声に変換して出力する。メモリ部２６に記憶されたボイスデータはスピーカ（ＳＰ）３４から出力され、ボイス鳴動させる。
【００４２】
コードレス電話装置２０に着信があると、着信検出部２２はナンバーディスプレイサービスを利用して発信者電話番号（発信元電話番号）を取得する。着信が不在着信である場合は、制御部２１はメモリ部２６に設定された不在着信履歴記憶領域に、発信元電話番号、着信時刻を蓄積する。
【００４３】
計数部３５は不在着信があった場合にその発信元電話番号を一時記憶するバッファ記憶手段（バッファメモリ）を有している。バッファメモリには不在着信の着信回数をカウントするカウント領域が対応して設けられ、再度、同一発信元電話番号からの不在着信があると、該当する電話番号を記憶したバッファメモリのカウント領域を用いて着信回数をカウントする。更に計数部３５は、予め設定された所定の時間をカウントするタイマを有しており、タイマが所定時間をカウントする間に、同一発信元電話番号からの不在着信回数が所定の回数に達したら、緊急または優先度の高い用件である不在着信であるものとして、通知手段３６は不在着信の着信記録を通知するメッセージを生成する。
【００４４】
このメッセージには、少なくとも、不在着信の発信元電話番号、着信時刻を含み、着信回数を付加してもよい。通知手段３６はこのような着信記録通知のメッセージを生成すると、通信Ｉ／Ｆ３７を介して予め設定された送信先にインターネット経由で送信する。予め設定された送信先とは、先に例示したように、コードレス電話装置２０の所有者の携帯する携帯電話のメールアドレスやパーソナルコンピュータなどの端末装置のメールアドレスである。
【００４５】
複数の発信元電話番号を記憶できるように複数のバッファメモリ領域を設定すれは、複数の発信元電話番号からの不在着信回数をカウントすることができる。また、バッファメモリ領域を１だけ設け、不在着信がある度にその発信元電話番号をバッファメモリ領域に記憶された発信元電話番号と比較し、電話番号が同じである場合には着信回数をカウントし、発信元電話番号が異なる場合には、バッファメモリ領域に記憶された電話番号をクリアして新たな発信元電話番号を記憶する（上書き保存してもよい）構成とすれば、同一発信元電話番号からの連続した不在着信回数をカウントすることができる。従って、用件の緊急度や優先度の判定がより正確に行えるようになる。
【００４６】
以下の説明においては、不在着信の発信元電話番号を記憶するバッファメモリ領域が１つであり、バッファメモリに不在着信を検出した時の発信元電話番号を一時記憶して、該発信元電話番号からの不在着信が連続した場合に、その着信回数をカウントする構成に基づいて本発明の着信記録通知の手順について説明する。
【００４７】
図３は、図１に示す子機１の概略構成を示すブロック図である。子機１は、制御部１Ａ、表示部２、操作部３、メモリ部４、電源部５、充電部６、送信部８、受信部９、周波数シンセサイザー１０、アンテナ１１、レシーバ１２、スピーカ（ＳＰ）１３などを備えて構成されている。
【００４８】
なお、制御部1Ａは本発明の充電検出手段、回線捕捉手段、同期信号検出手段、制御手段に相当し、スピーカ（ＳＰ）１３は本発明のエラートーン鳴動手段に相当する。
【００４９】
制御部１Ａは、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って子機の各種制御を行う。また、制御部１Ａは、回線捕捉時や外線接続中に親機と通信不能になったときエラートーンを鳴らす制御を行う。
【００５０】
表示部２は、液晶パネルなどから構成される表示ユニットであり、制御部１Ａからの制御信号に応じて、電話帳から読み出した電話番号や相手先の名称、通話時間、通話料金などのテキストデータ、画像データを液晶画面に各種表示を行う。
【００５１】
操作部３は、数字や文字の入力などを行うテンキー、発呼および通話の開始などを操作する通話キー、通話の終了などを操作する終話キー、電話帳の登録・検索を操作する電話帳キー、各種モードを設定するための操作を行うモード設定キーなどからなり、テンキーや操作キーを操作し、発呼操作や各種データの入力を行う。
【００５２】
メモリ部４は、ＲＡＭによって構成され、制御部１Ａの動作に必要な情報（例えば、回線接続要求のリトライ回数など）や電話帳などの各種データが記憶されている。この電話帳には、名称、電話番号、メールアドレス、住所などの個人情報が記憶可能である。
【００５３】
電源部５は、充電式のバッテリーを内蔵し、子機の各部に電源を供給する。充電部６は、子機１が充電台（親機２０）に載置されている間、親機２０の充電部から与えられる所定の直流電圧により、電源部５のバッテリーの充電を行う。また、充電部６は、上記バッテリーの充電電流の有無を常時制御部１Ａに送り、それを受けて制御部１Ａは、バッテリーの充電状態を検出し、充電断を検出したとき、親機との間の回線捕捉を行う。
【００５４】
送信部８と受信部９は、アンテナ１１を介して後述する親機との間に無線による通話リンクを確立させて、親機に対して信号の送受信を行い、周波数シンセサイザー１０は、信号発振を行い、制御部１Ａからの制御信号によって送信部８と受信部９の送受信周波数を切り換える。
レシーバ１２は、スピーカ（ＳＰ）とマイク（ＭＩＣ）により通話を行う。スピーカ（ＳＰ）は増幅回路で増幅された制御部1Ａ内の音声信号処理部の電気信号を音声に変換して出力するためのものであり、マイク（ＭＩＣ）は電気信号に変換した音声を増幅回路で増幅して制御部1Ａ内の音声信号処理部に出力するためのものである。また、スピーカ（ＳＰ）１３は、親機２０との通信が不能になったとき等にエラートーンを鳴らして報知するためのものである。
【００５５】
次に本発明にかかる不在着信の着信記録通知の手順について、フローチャートを参照して詳細に説明する。図４は、親機における不在着信の着信記録通知の動作手順の一例を示すフローチャートである。
【００５６】
初めに、着信検出部２２はコードレス電話装置２０に着信があったか否かを検出する（ステップＳ１０１）。着信を検出しなければステップＳ１０１の着信検出処理を繰り返す。着信が検出されると（ステップＳ１０１のＹＥＳ）、制御部２１は、着信応答があったか否かを検出する（ステップＳ１０２）。着信応答があれば（ステップＳ１０２のＹＥＳ）、ステップＳ１０３で通話を開始し、次いで、計数部３５が備えるタイマ手段（不図示）の時間カウントをクリアし（ステップＳ１０４）、計数部３５が備えるバッファメモリ（不図示）内の発信元電話番号をクリアして（ステップＳ１０５）、本処理を終了する。
【００５７】
ステップＳ１０２の判定処理において着信応答がない場合、制御部２１は不在着信としてナンバーディスプレイサービスによる発信元電話番号（着信電話番号）の通知があるか否かを判定する（ステップＳ１０６）。発信元電話番号が取得できなければ（ステップＳ１０６のＮＯ）、計数部３５が備えるタイマ手段の時間カウントをクリアし（ステップＳ１２０）、計数部３５が備えるバッファメモリ内の発信元電話番号をクリアして（ステップＳ１２１）、ステップＳ１０１の着信検出処理に戻る。
【００５８】
ステップＳ１０６の判定処理においてナンバーディスプレイサービスによる発信元電話番号（着信電話番号）の通知があると判定すると（ステップＳ１０６のＹＥＳ）、計数部３５が備えるバッファメモリ内に発信元電話番号が一時記憶されているか否かを判定する（ステップＳ１０７）。バッファメモリ内に発信元電話番号が一時記憶されていなければ（ステップＳ１０７のＮＯ）、計数部３５が備えるバッファメモリ内に発信元電話番号を登録（一時記憶）し（ステップＳ１１７）、計数部３５が備えるタイマ手段（不図示）の時間カウントをスタートして（ステップＳ１１８）、ステップＳ１０１の着信検出処理に戻る。
【００５９】
ステップＳ１０７の判定処理で、計数部３５が備えるバッファメモリ内に発信元電話番号が一時記憶されていると判定された場合（ステップＳ１０７のＹＥＳ）、発信元電話番号が一致するか否かを判定する（ステップＳ１０８）。発信元電話番号が一致しなければ（ステップ１０８のＮＯ）、計数部３５が備えるタイマ手段の時間カウントをクリアし（ステップＳ１１５）、計数部３５が備えるバッファメモリ内の発信元電話番号をクリアして（ステップＳ１１６）、ステップＳ１１７の処理に進む。このステップＳ１１７〜の処理によって、不在着信の発信元電話番号が入れ代わることになる。
【００６０】
ステップＳ１０８の判定処理で、計数部３５が備えるバッファメモリ内に一時記憶された発信元電話番号と今回着信した不在着信の発信元電話番号が一致すると判定されると（ステップＳ１０８のＹＥＳ）、計数部３５が備えるタイマのカウント値が所定の値以内（所定時間内）であるか否かを判定する（ステップＳ１０９）。所定の時間内であれば、ステップＳ１１０の処理に進み、通知部３６は、不在着信の着信記録を通知するメッセージを生成し、予め設定された所定の通知先に着信記録通知を送信する。
【００６１】
すなわち、ステップＳ１０７〜ステップＳ１１０の処理により、同一発信元電話番号からの不在着信が、他の発信元電話番号からの不在着信をはさまずに、連続して２回、受信され、且つ、その受信が、順所定の時間内、例えば１０分の間である場合に不在着信の着信記録通知が送信されることになる。
【００６２】
ステップＳ１０９の判定において、計数部３５が備えるタイマのカウント値が所定の値（所定時間）を経過していた場合（ステップＳ１０９のＮＯ）には、ステップＳ１１１の処理に進み、計数部３５が備えるタイマのカウント値をクリアし、次いで、計数部３５が備えるバッファメモリ内に一時記憶された発信元電話番号をクリアして（ステップＳ１１２）、ステップＳ１０１の着信検出処理に戻る。
【実施例２】
【００６３】
以上説明した実施例１の手順は、同一発信元電話番号からの不在着信が、他の発信元電話番号からの不在着信をはさまずに、連続して２回、受信され、且つ、その受信が、順所定の時間内、例えば１０分の間である場合に不在着信の着信記録通知を送信するものであったが、同一発信元電話番号からの不在着信が、他の発信元電話番号からの不在着信をはさまずに、連続して所定の回数になった場合に着信記録通知を送信する手順とすることもできる。なお、この実施例２の手順を実施するコードレス電話装置２０のハードウエア構成は、図１、図２に示すコードレス電話装置２０と同様の構成であるので、その説明は重複を避けるため省略する。
【００６４】
図５は、そのような手順を示す不在着信の着信記録通知の動作手順の例を示すフローチャートである。
【００６５】
初めに、着信検出部２２はコードレス電話装置２０に着信があったか否かを検出する（ステップＳ２０１）。着信を検出しなければステップＳ２０１の着信検出処理を繰り返す。着信が検出されると（ステップＳ２０１のＹＥＳ）、制御部２１は、着信応答があったか否かを検出する（ステップＳ２０２）。着信応答があれば（ステップＳ２０２のＹＥＳ）、ステップＳ２０３で通話を開始し、次いで、計数部３５が備える不在着信回数をカウントするカウント手段のカウント値をクリアして（ステップＳ２０４）、計数部３５が備えるバッファメモリ（不図示）内の発信元電話番号をクリアして（ステップＳ２０５）、本処理を終了する。
【００６６】
ステップＳ２０２の判定処理において着信応答がない場合、制御部２１は不在着信としてナンバーディスプレイサービスによる発信元電話番号（着信電話番号）の通知があるか否かを判定する（ステップＳ２０６）。発信元電話番号が取得できなければ（ステップＳ２０６のＮＯ）、計数部３５が備えるカウント手段のカウント値をクリアして（ステップＳ２２０）、計数部３５が備えるバッファメモリ内の発信元電話番号をクリアして（ステップＳ２２１）、ステップＳ２０１の着信検出処理に戻る。
【００６７】
ステップＳ２０６の判定処理においてナンバーディスプレイサービスによる発信元電話番号（着信電話番号）の通知があると判定すると（ステップＳ２０６のＹＥＳ）、計数部３５が備えるバッファメモリ内に発信元電話番号が一時記憶されているか否かを判定する（ステップＳ２０７）。バッファメモリ内に発信元電話番号が一時記憶されていなければ（ステップＳ２０７のＮＯ）、計数部３５が備えるバッファメモリ内に発信元電話番号を登録（一時記憶）し（ステップＳ２１７）、計数部３５が備える不在着信回数をカウントするカウント手段のカウント値を「＋１」して（ステップＳ２１８）、ステップＳ１０１の着信検出処理に戻る。
【００６８】
ステップＳ２０７の判定処理で、計数部３５が備えるバッファメモリ内に発信元電話番号が一時記憶されていると判定された場合（ステップＳ２０７のＹＥＳ）、発信元電話番号が一致するか否かを判定する（ステップＳ２０８）。発信元電話番号が一致しなければ（ステップ２０８のＮＯ）、計数部３５が備えるタカウント手段のカウントをクリアし（ステップＳ２１５）、計数部３５が備えるバッファメモリ内の発信元電話番号をクリアして（ステップＳ２１６）、ステップＳ２１７の処理に進む。このステップＳ２１７〜の処理によって、不在着信の発信元電話番号が入れ代わることになる。
【００６９】
ステップＳ２０８の判定処理で、計数部３５が備えるバッファメモリ内に一時記憶された発信元電話番号と今回着信した不在着信の発信元電話番号が一致すると判定されると（ステップＳ２０８のＹＥＳ）、計数部３５が備えるカウン手段のカウント値を「＋１」する（ステップＳ２０９）。次いで、計数部３５はカウント手段のカウント値が所定の値、この場合は「５」になったか否かを判定する（ステップＳ２１０）。
【００７０】
カウント値が「５」でなければ（ステップＳ２１０のＮＯ）、ステップＳ２０１の着信検出処理に戻り、カウント値が「５」であれば（ステップＳ２１０のＹＥＳ）、ステップＳ２１１の処理に進み、通知部３６は、不在着信の着信記録を通知するメッセージを生成し、予め設定された所定の通知先に着信記録通知を送信する。そして、計数部３５が備えるカウント手段のカウント値をクリアし（ステップＳ２１２）、次いで、計数部３５が備えるバッファメモリ内に一時記憶された発信元電話番号をクリアして（ステップＳ２１３）、ステップＳ２０１の着信検出処理に戻る。
【００７１】
すなわち、ステップＳ２０７〜ステップＳ２１１の処理により、同一発信元電話番号からの不在着信が、他の発信元電話番号からの不在着信をはさまずに、連続して５回、受信された場合に不在着信の着信記録通知が送信されることになる。
【実施例３】
【００７２】
以上説明した実施例２において、更に、同一発信元電話番号からの不在着信の連続受信回数に加え、更に、時間条件を加味することができる。すなわち、連続受信回数が所定の時間内にあった場合に、不在着信の着信記録通知を送信するように構成できる。この場合のコードレス電話装置のハードウエア構成は、示すコードレス電話装置２０と同様の構成であるので、その説明は重複を避けるため省略する。
【００７３】
図６は、そのような手順を示す不在着信の着信記録通知の動作手順の例を示すフローチャートである。
【００７４】
初めに、着信検出部２２はコードレス電話装置２０に着信があったか否かを検出する（ステップＳ３０１）。着信を検出しなければステップＳ３０１の着信検出処理を繰り返す。着信が検出されると（ステップＳ３０１のＹＥＳ）、制御部２１は、着信応答があったか否かを検出する（ステップＳ３０２）。着信応答があれば（ステップＳ３０２のＹＥＳ）、ステップＳ３０３で通話を開始し、次いで、計数部３５が備える不在着信回数をカウントするカウント手段（不図示）のカウント値、および、タイマ手段（不図示）のカウント値をクリアして（ステップＳ３０４）、計数部３５が備えるバッファメモリ（不図示）内の発信元電話番号をクリアして（ステップＳ３０５）、本処理を終了する。
【００７５】
ステップＳ３０２の判定処理において着信応答がない場合、制御部２１は不在着信としてナンバーディスプレイサービスによる発信元電話番号（着信電話番号）の通知があるか否かを判定する（ステップＳ３０６）。発信元電話番号が取得できなければ（ステップＳ３０６のＮＯ）、計数部３５が備える不在着信回数をカウントするカウント手段（不図示）のカウント値、および、タイマ手段（不図示）のカウント値をクリアして（ステップＳ３２０）、計数部３５が備えるバッファメモリ内の発信元電話番号をクリアして（ステップＳ３２１）、ステップＳ３０１の着信検出処理に戻る。
【００７６】
ステップＳ３０６の判定処理においてナンバーディスプレイサービスによる発信元電話番号（着信電話番号）の通知があると判定すると（ステップＳ３０６のＹＥＳ）、計数部３５が備えるバッファメモリ内に発信元電話番号が一時記憶されているか否かを判定する（ステップＳ３０７）。バッファメモリ内に発信元電話番号が一時記憶されていなければ（ステップＳ３０７のＮＯ）、計数部３５が備えるバッファメモリ内に発信元電話番号を登録（一時記憶）し（ステップＳ３１７）、計数部３５が備えるタイマ手段（不図示）の時間カウントをスタートし（ステップＳ３１８）、計数部３５が備える不在着信回数をカウントするカウント手段のカウント値を「＋１」して（ステップＳ３１９）、ステップＳ３０１の着信検出処理に戻る。
【００７７】
ステップＳ３０７の判定処理で、計数部３５が備えるバッファメモリ内に発信元電話番号が一時記憶されていると判定された場合（ステップＳ３０７のＹＥＳ）、発信元電話番号が一致するか否かを判定する（ステップＳ３０８）。発信元電話番号が一致しなければ（ステップ３０８のＮＯ）、計数部３５が備える不在着信回数をカウントするカウント手段（不図示）のカウント値、および、タイマ手段（不図示）のカウント値をクリアして（ステップＳ３１５）、計数部３５が備えるバッファメモリ内の発信元電話番号をクリアして（ステップＳ３１６）、ステップＳ３１７の処理に進む。このステップＳ３１７〜の処理によって、不在着信の発信元電話番号が入れ代わることになる。
【００７８】
ステップＳ３０８の判定処理で、計数部３５が備えるバッファメモリ内に一時記憶された発信元電話番号と今回着信した不在着信の発信元電話番号が一致すると判定されると（ステップＳ３０８のＹＥＳ）、計数部３５が備えるカウント手段のカウント値を「＋１」する（ステップＳ３０９）。次いで、計数部３５はカウント手段のカウント値が所定の値、この場合は「５」になったか否かを判定する（ステップＳ３１０）。
【００７９】
カウント値が「５」でなければ（ステップＳ３１０のＮＯ）、計数部３５が備えるタイマ手段のカウント値が所定の時間を経過してカウント終了（タイムアップ）しているか否かを判定する（ステップＳ３１４）。カウントを終了（タイムアップ）している場合には、ステップＳ３１２の処理に進み、計数部３５が備える不在着信回数をカウントするカウント手段のカウント値、および、タイマ手段のカウント値をクリアし、次いで、計数部３５が備えるバッファメモリ内に一時記憶された発信元電話番号をクリアして（ステップＳ３１３）、ステップＳ３０１の着信検出処理に戻る。
【００８０】
ステップＳ３１０の判定処理において、カウント値が「５」であれば（ステップＳ３１０のＹＥＳ）、ステップＳ３１１の処理に進み、通知部３６は、不在着信の着信記録を通知するメッセージを生成し、予め設定された所定の通知先に着信記録通知を送信する。そして、ステップＳ３１２、ステップＳ３１３のクリア処理を行ってステップＳ３０１の着信検出処理に戻る。
【００８１】
すなわち、ステップＳ３０７〜ステップＳ３１１の処理により、同一発信元電話番号からの不在着信が、他の発信元電話番号からの不在着信をはさまずに、連続して５回、所定の時間内に受信された場合に不在着信の着信記録通知が送信されることになる。
【００８２】
以上説明した実施例１〜実施例３にかかる不在着信の着信記録通知の手順は、不在着信の発信元電話番号を一時記憶するバッファメモリの領域を１つとし、同一発信元電話番号からの不在着信が、他の発信元電話番号からの不在着信をはさまずに、連続して所定回数受信した場合に、緊急あるいは優先度の高い不在着信と判断する構成であったが、本発明はそのような構成に限られるものではない。例えば、複数の発信元電話番号を記憶できるように複数のバッファメモリ領域を設定すれは、複数の発信元電話番号からの不在着信回数をカウントすることができる。
【００８３】
また、バッファメモリに一時記憶する不在着信の発信元電話番号は、ユーザが予め設定した電話番号のみに制限することができる。本発明における不在着信の着信記録通知の目的は、緊急あるいは優先度の高い不在着信があったことを通知する点にあるから、ユーザが特別の関心を持つ相手からの不在着信通知に限ることが好ましい。そのため、ユーザは、例えば、家族や取引先の電話番号を予め登録しておき、登録された発信元電話番号からの不在着信を対象として、着信回数をカウントすればよい。そのようにすればコードレス電話装置２０の処理負荷をいたずらに増加させることがない。
【００８４】
更に、着信記録通知の対象も不在着信に限ることなく、留守番電話機能によりメッセージが記録された着信を対象とすることもできる。
【００８５】
以上、詳細に説明したように、本発明にかかるコードレス電話装置によれば、緊急度や優先度の高い不在着信や留守番電話による録音メッセージについて、その存在をユーザに通知することができるようになる。
【符号の説明】
【００８６】
２０・・・・・・親機
１・・・・・・・子機
１Ａ，２１・・・制御部
２・・・・・・・表示部
２４・・・・・・充電部
３，２５・・・・操作部
４，２６・・・・メモリ部
４１・・・・・・電話帳
２６１・・・・・ボイスデータ
５，２８・・・・電源部
６・・・・・・・充電部
７，２７・・・・ＡＣアダプタ
８，３０・・・・送信部
９，３１・・・・受信部
１０，３２・・・周波数シンセサイザー
１１，３３・・・アンテナ
１２・・・・・・レシーバ
１３・・・・・・スピーカ
２２・・・・・・着信検出部
２３・・・・・・回線接続部
３４・・・・・・スピーカ
３５・・・・・・計数部
３６・・・・・・通知部
３７・・・・・・通信Ｉ／Ｆ
【図１】
2011024087.tif 000003
【図２】
2011024087.tif 000004
【図３】
2011024087.tif 000005
【図４】
2011024087.tif 000006
【図５】
2011024087.tif 000007
【図６】
2011024087.tif 000008